(57)【要約】【課題】ビデオ技術デバイスを検査するための検査信号を発生することである。【解決手段】色相と色飽和度が周期的に変化する検査信号を発生する。【選択図】図３
2004104795.tif 000002
【特許請求の範囲】
【請求項１】
　ビデオ技術デバイスを検査する方法において、色相と色飽和度が周期的に変化する検査信号を発生することを特徴とする方法。
【請求項２】
　色飽和度は、色相よりも緩慢に変化し、これにより直径の増大するカラーサークルが発生される、請求項１記載の方法。
【請求項３】
　色値信号（Ｒ、Ｇ、Ｂ）は正弦波状発振により形成され、該正弦波状発振は相互に１２０゜位相シフトされており、当該発振の振幅は上昇し、直流成分が重畳されている、請求項１記載の方法。
【請求項４】
　輝度信号（Ｙ）がさらに正弦波状発振により形成され、当該発振の振幅は上昇し、直流成分が重畳されている、請求項１から３までのいずれか１項記載の方法。
【請求項５】
　振幅は線形に上昇する、請求項３または４記載の方法。
【請求項６】
　振幅上昇は周期的に走査線周波数で反復される、請求項３から５までのいずれか１項記載の方法。
【請求項７】
　ビデオ技術デバイスを検査するための検査信号を発生する装置において、
　色値信号（Ｒ、Ｇ、Ｂ）がメモリ（７）に記憶されており、
　該色値信号は正弦波状発振により形成され、
　該正弦波状発振は相互に１２０゜位相シフトされており、
　当該発振の振幅は上昇し、直流成分が重畳されており、
　記憶された色値信号（Ｒ、Ｇ、Ｂ）を読み出すためにピクセルカウンタ（６）がメモリ（７）のアドレス入力端に接続されている、
ことを特徴とする装置。
【請求項８】
　輝度信号（Ｙ）がメモリ（１０）に記憶されており、
　該輝度信号は正弦波状発振により形成され、
　該正弦波状発振の振幅は上昇し、直流成分が重畳されており、
　記憶された輝度信号（Ｙ）を読み出すためにピクセルカウンタ（９）がメモリ（１０）のアドレス入力端に接続されている、請求項７記載の装置。
【請求項９】
　振幅は線形に上昇する、請求項７または８記載の装置。
【請求項１０】
　振幅上昇は周期的に走査線周波数で反復される、請求項７から９までのいずれか１項記載の装置。
【発明の詳細な説明】
【技術分野】
【０００１】
　本発明は、ビデオ技術デバイスの検査方法および検査装置に関する。
【背景技術】
【０００２】
　ビデオ技術デバイスの品質をチェックするために信号を使用することは、すでに長い間公知であり、このようなデバイス内でのビデオ信号処理が色空間を変化させるか否かの評価も行われる。この目的のために、いわゆる「レインボー」検査信号が使用され、この検査信号は同じ飽和度を有する色のカラープロファイルを表わす。色相だけが変化する。ＣＲ／ＣＢ軸を有するベクトル表示では、このような検査信号はサークルに見える。
【発明の開示】
【発明が解決しようとする課題】
【０００３】
　本発明の課題は、ビデオ技術デバイスを検査するための検査信号を発生することである。
【課題を解決するための手段】
【０００４】
　この課題は本発明により、色相と色飽和度とが周期的に変化する検査信号が発生されることにより解決される。この場合、色飽和度が色相よりも緩慢に変化すると有利であり、直径の増大するカラーサークルが発生される。
【発明を実施するための最良の形態】
【０００５】
　本発明の方法で使用される検査信号は検査すべきデバイスまたはその一部を通過した後、モニタに表示される。この検査信号により色空間での変化が迅速に検査され、品質を簡単に評価することができる。螺旋形をＣＲ／ＣＢベクトル表示で識別することができる。
【０００６】
　本発明の方法の実施形態では、色値信号（Ｒ、Ｇ、Ｂ）が正弦波状の発振により形成される。これら色信号は相互に１２０゜位相がシフトされており、その振幅は増大し、直流成分が重畳されている。この場合、輝度信号をさらに正弦波状発振により形成し、その振幅は増大し、直流成分が重畳されている。
【０００７】
　この発展形態は簡単には、正弦波状発振の個々のポイントを計算することにより実現できる。この場合、振幅が線形に上昇すると有利である。しかし適用に応じて非線形に上昇することが有利な場合もある。これは非線形ビデオ信号チャネルをテストする場合である。
【０００８】
　さらに振幅上昇を反復して周期的に走査線周波数で行うと有利である。このことにより画像走査線上に垂直のストライプが形成される。ここで各色相は異なる飽和度とのかけ算の数により表わされ、ストライプの数は正弦波状発振の周波数と走査線周波数との比により定められる。
【０００９】
　本発明は、色空間における信号処理に対する品質の重要性、例えば飽和度と色相を一目で表現することができるという利点を有する。本発明の適用分野は色補正の評定であり、とりわけ変化すべき色域の選択の他に、この色域の色飽和を選択することができる。このような色補正の作用と、色相および色飽和度の処理品質は本発明の方法により良好に視覚化することができる。
【００１０】
　ビデオ技術デバイスを検査するための検査信号を発生するための構成では、色値信号がメモリに記憶されており、この信号は相互に１２０゜位相シフトされた正弦波状発振により形成される。この信号の振幅は上昇し、直流成分が重畳されており、記憶された色値信号の読み出しのためにピクセルカウンタがメモリのアドレス入力端に接続されている。
【００１１】
　本発明のこの構成の発展形態では、輝度信号がメモリに記憶されており、この信号は正弦波状発振により形成され、振幅は上昇し、直流成分が重畳されており、記憶された輝度信号の読み出しのためにピクセルカウンタがメモリのアドレス入力端に接続されている。
【００１２】
　本発明による別の有利な構成では、振幅は線形に上昇され、および／または振幅は反復して周期的に走査線周波数で上昇される。
【実施例】
【００１３】
　１９３６ピクセルのライン長が図１と図２に示されている。検査信号Ｒ、Ｇ、ＢおよびＹはこれらのピクセルごとに計算される。図から分るように、検査信号は正弦波状の発振であり、その振幅は図示の実施例では線形に上昇し、１走査線期間ごとに７周期を有する。直流成分がいずれの場合でも、負の値を避けるために重畳されている。
【００１４】
　検査信号は次式によりコンピュータで計算することができ、適用のためにメモリに書き込まれ、そこからピクセルごとに読み出される。
【００１５】
　色値信号のプロフィールは次のようにして計算される。
【００１６】
　ｒｉ＝ 0.5 - cos[2π(i - 50) / 300] 0.5 [1 - ((1936 - i) / 1936)ｘ]
　ｒｉ＝ 0.5 - cos[2π(i - 150) / 300] 0.5 [1 - ((1936 - i) / 1936)ｘ]
　ｒｉ＝ 0.5 - cos[2π(i - 250) / 300] 0.5 [1 - ((1936 - i) / 1936)ｘ]
　この場合ｉは走査線内のそれぞれのピクセルの数であり、１９３６は走査線内のピクセルの総数である。上記の式は正規化色値を１の端数として特定し、ｘ＝１の場合、その振幅は線形に上昇する。他の上昇曲線も異なる指数によって選択することができる。それぞれのビデオ形式で量子化のために計算される曲線を適合するために、最大値Ｍａｘによる乗算が行われる。この最大値はこの実施例では１３６５４である。以下は、色値信号に対する結果である：
　Ｒｉ＝Ｍａｘ・ｒｉ
　Ｇｉ＝Ｍａｘ・ｇｉ
　Ｂｉ＝Ｍａｘ・ｂｉおよび輝度信号に対して
　Ｌｉ＝Ｍａｘ（０．２９９ｒｉ＋０．５８７ｇｉ＋０．１１４ｂｉ）
　図３は、フィルムスキャナ２を例として使用した本発明の構成を概略的に示す。パーソナルコンピュータ１では、上記のように検査信号が計算され、ランダムアクセスメモリ７と１０にコントローラ３を介して書き込まれる。このコントローラはフィルムスキャナ２での種々のコントロールタスクを実行する。ランダムアクセスメモリ７は色値信号に対する検査信号発生器４の一部である。一方ランダムアクセスメモリ１０は輝度信号に対する検査信号発生器５に属する。発生された検査信号はビデオ信号の代わりに動作中に供給される。
【００１７】
　図３は、入力端１２，１３と出力端１４，１５を通るビデオ信号経路を示す。これらの間にはマルチプレクサ８．１１が配置されており、コントローラにより制御されてビデオ信号または検査信号を出力端１４，１５に供給する。検査信号をランダムアクセスメモリ７，１０から読み出すためにピクセルカウンタ６，９が設けられており、走査線毎にランダムアクセスメモリ７，１０のアドレス入力を読み出す。このピクセルカウンタは１から１９３６までをカウントする。
【図面の簡単な説明】
【００１８】
【図１】検査信号Ｒ、Ｇ、Ｂを示す線図である。
【００１９】
【図２】検査信号Ｙを示す線図である。
【００２０】
【図３】本発明による構成がフィルムスキャナに適用された場合の実施例である。
【符号の説明】
【００２１】
　１　パーソナルコンピュータ
　２　フィルムスキャナ
　３　コントローラ
　４、５　検査信号発生器
　６、９　カウンタ
　７，１０　ランダムアクセスメモリ
　８，１１　マルチプレクサ
【図３】
2004104795.tif 000003
【図１】
2004104795.tif 000004
【図２】
2004104795.tif 000005